(57)【要約】【課題】レンズ装置にＧＰＳ受信機を搭載又は接続し、ＧＰＳ受信機から取得したＧＰＳ情報（撮影位置のデータ）をレンズ装置に接続された外部機器に出力できるようにすることにより、映像編集時等において撮影位置の情報を参照又は利用できるようにしたレンズシステムを提供する。【解決手段】レンズ装置１０のＣＰＵ１６は、レンズ装置１０に接続されたメタデータ収集システ５０からメタデータ出力の要求があると、撮影レンズの焦点距離データ、被写体距離データ、Ｆ値データと共に、ＧＰＳ受信機４０から取得した撮影位置データと方位センサ４２から取得した撮影方位データを外部機器に出力する。【選択図】      図１
2007212674.tif 000002
【特許請求の範囲】
【請求項１】
レンズ交換式のカメラに着脱可能に装着される撮影レンズを備えたレンズ装置と、
前記レンズ装置に搭載され、又は、接続されたＧＰＳ受信機と、
前記レンズ装置に搭載され、前記ＧＰＳ受信機によりＧＰＳ情報を取得するＧＰＳ情報取得手段と、
前記ＧＰＳ情報取得手段により取得されたＧＰＳ情報を前記レンズ装置に接続された外部機器に出力するＧＰＳ情報出力手段と、
を備えたことを特徴とするレンズシステム。
【請求項２】
前記ＧＰＳ情報出力手段は、撮影レンズの設定状態を示す撮影データと共に前記ＧＰＳ情報を出力することを特徴とする請求項１のレンズシステム。
【請求項３】
前記ＧＰＳ情報出力手段は、前記外部機器に出力するＧＰＳ情報として、撮影位置を示すデータを出力することを特徴とする請求項１、又は、２のレンズシステム。
【請求項４】
前記カメラの撮影方位を検出するセンサであって、前記レンズ装置に搭載され、又は、接続された方位センサを備え、前記ＧＰＳ情報出力手段は、前記ＧＰＳ情報と共に、前記方位センサから撮影方位の情報を取得し、前記ＧＰＳ情報出力手段は、前記ＧＰＳ情報と共に、前記撮影方位の情報を前記外部機器に出力することを特徴とする請求項１、２、又は、３のレンズシステム。
【請求項５】
前記外部機器は、前記カメラの設定状態を示す撮影データをメタデータとして収集する機器であることを特徴とする請求項１〜４のうちいずれか１に記載のレンズシステム。
【請求項６】
レンズ交換式のカメラに着脱可能に装着される撮影レンズを備えたレンズ装置と、
前記レンズ装置に搭載され、又は、接続された撮影方位を検出する方位センサと、
前記レンズ装置に搭載され、前記方位センサから撮影方位の情報を取得する撮影方位情報取得手段と、
前記撮影方位情報取得手段により取得された撮影方位の情報を前記レンズ装置に接続された外部機器に出力する撮影方位情報出力手段と、
を備えたことを特徴とするレンズシステム。
【発明の詳細な説明】
【技術分野】
【０００１】
本発明はレンズシステムに係り、特にレンズ交換可能なカメラに着脱可能に装着される撮影レンズに対して構築されるレンズシステムに関する。
【背景技術】
【０００２】
放送用又は業務用のテレビカメラやシネマ用カメラ等において、カメラ本体やカメラ本体に装着された撮影レンズの設定状態を示す撮影データを、カメラで撮影された映像の映像信号に付帯させて映像信号と共に記録媒体に記録しておけるようにしたシステムが知られている（例えば特許文献１、２参照）。例えば、撮影レンズに関する撮影データとして、焦点距離、被写体距離（撮影距離）、絞り値（Ｆ値）等のデータが映像信号に付帯して記録される。これによれば、映像編集を行う際等に記録媒体に記録された撮影データを読み取ることによって撮影時のカメラの設定状態の情報を容易に参照又は利用することができる。尚、このように撮影時におけるカメラ（カメラ本体や撮影レンズ）の設定状態を示す撮影データはメタデータと呼ばれている。
【０００３】
また、映像編集時等において撮影時におけるカメラの設定状態のみでなく撮影場所（撮影位置）の情報を参照又は利用したいという場合がある。特許文献３〜６には、撮影時において撮影位置の情報をＧＰＳ受信機により取得し、その撮影位置の情報を映像信号に対応付けて記録しておくことが開示されている。
【特許文献１】特開２００５−３９３５４号公報
【特許文献２】特開２００５−４３７１３号公報
【特許文献３】特開平７−２４８７２６号公報
【特許文献４】特開平９−２７９３７号公報
【特許文献５】特開平１０−２８５５０１号公報
【特許文献６】特開平１１−２５９５０２号公報
【発明の開示】
【発明が解決しようとする課題】
【０００４】
しかしながら、特許文献３〜６においては、レンズ交換式のカメラに使用されるレンズ装置にＧＰＳ受信機を搭載したものはない。従って、既にユーザが使用しているカメラ（カメラ本体）にＧＰＳ受信機が内蔵されていない場合、そのカメラでは撮影位置の情報を上記撮影データのように記録しておくことができない。
【０００５】
本発明はこのような事情に鑑みてなされたもので、レンズ交換可能なカメラ（カメラ本体）が撮影位置の情報を取得する機能やその情報を記録装置等に出力する機能を備えていない場合であっても、その撮影位置の情報の取得や出力に関する特別なシステムをユーザが構築することなく、撮影位置の情報を映像編集時等において参照又は利用することができるようにしたレンズシステムを提供することを目的とする。
【課題を解決するための手段】
【０００６】
前記目的を達成するために、請求項１に記載のレンズシステムは、レンズ交換式のカメラに着脱可能に装着される撮影レンズを備えたレンズ装置と、前記レンズ装置に搭載され、又は、接続されたＧＰＳ受信機と、前記レンズ装置に搭載され、前記ＧＰＳ受信機によりＧＰＳ情報を取得するＧＰＳ情報取得手段と、前記ＧＰＳ情報取得手段により取得されたＧＰＳ情報を前記レンズ装置に接続された外部機器に出力するＧＰＳ情報出力手段と、を備えたことを特徴としている。
【０００７】
本発明によれば、レンズ装置に搭載され、又は、接続されたＧＰＳ受信機によって取得されたＧＰＳ情報をレンズ装置から出力することができるため、そのＧＰＳ情報を記録しておくことによって映像編集時等において撮影位置の情報を参照又は利用することができる。また、カメラ本体に撮影位置の情報を扱う機能がなくても本発明に係るレンズシステムを使用することによって撮影位置の情報を映像編集時等において参照又は利用できるように記録しておくことができる。
【０００８】
請求項２に記載のレンズシステムは、請求項１に記載の発明において、前記ＧＰＳ情報出力手段は、撮影レンズの設定状態を示す撮影データと共に前記ＧＰＳ情報を出力することを特徴としている。
【０００９】
本発明によれば、レンズ装置が、撮影レンズの設定状態を示す撮影データを出力する機能を備えている場合に、その撮影データと共にＧＰＳ情報を出力することによって、ＧＰＳ情報を出力するための特別な手段を設けることが低減される。
【００１０】
請求項３に記載のレンズシステムは、請求項１、又は、２に記載の発明において、前記ＧＰＳ情報出力手段は、前記外部機器に出力するＧＰＳ情報として、撮影位置を示すデータを出力することを特徴としている。本発明は、ＧＰＳ受信機から得られるＧＰＳ情報のうち撮影位置を示すデータを外部機器に出力するようにしたもので、例えば、撮影位置の緯度と経度のデータを出力する態様を示している。
【００１１】
請求項４に記載のレンズシステムは、請求項１、２、又は、３に記載の発明において、前記カメラの撮影方位を検出するセンサであって、前記レンズ装置に搭載され、又は、接続された方位センサを備え、前記ＧＰＳ情報出力手段は、前記ＧＰＳ情報と共に、前記方位センサから撮影方位の情報を取得し、前記ＧＰＳ情報出力手段は、前記ＧＰＳ情報と共に、前記撮影方位の情報を前記外部機器に出力することを特徴としている。
【００１２】
本発明は、ＧＰＳ情報の他に撮影方向の情報もレンズ装置から外部機器に出力するようにした態様を示す。
【００１３】
請求項５に記載のレンズシステムは、請求項１〜４のうちいずれか１に記載の発明において、前記外部機器は、前記カメラの設定状態を示す撮影データをメタデータとして収集する機器であることを特徴としている。本発明は、レンズ装置に対してＧＰＳ情報を要求する外部機器の一態様として、メタデータを収集する機器がレンズ装置に接続された場合を示している。
【００１４】
請求項６に記載のレンズシステムは、レンズ交換式のカメラに着脱可能に装着される撮影レンズを備えたレンズ装置と、前記レンズ装置に搭載され、又は、接続された撮影方位を検出する方位センサと、前記レンズ装置に搭載され、前記方位センサから撮影方位の情報を取得する撮影方位情報取得手段と、前記撮影方位情報取得手段により取得された撮影方位の情報を前記レンズ装置に接続された外部機器に出力する撮影方位情報出力手段と、を備えたことを特徴としている。
【００１５】
本発明によれば、撮影レンズに対して一体的に方位センサを設置して撮影レンズの方向、即ち、撮影方位のデータを取得することができる。特に、撮影レンズ（及びカメラ本体の撮像素子等を含む光学ブロック）をカメラ本体から分離した状態で撮影できるカメラでは、方位センサをカメラ本体に搭載する場合と異なり、撮影方位を的確に検出することができる。
【発明の効果】
【００１６】
本発明に係るレンズシステムによれば、レンズ交換可能なカメラ（カメラ本体）が撮影位置の情報を取得する機能やその情報を記録装置等に出力する機能を備えていない場合であっても、その撮影位置の情報の取得や出力に関する特別なシステムをユーザが構築することなく、撮影位置の情報を映像編集時等において参照又は利用することができる。
【発明を実施するための最良の形態】
【００１７】
以下、添付図面に従って本発明に係るレンズシステムの最良の実施の形態について詳説する。
【００１８】
図１は、本発明に係るレンズシステムの構成を示したブロック図である。同図においてレンズシステムは、詳細な構成を省略した撮影レンズ（光学系）と制御系とを備えたレンズ装置１０と、レンズ装置１０に接続されるズームデマンド１２やフォーカスデマンド１４等のコントローラから構成されている。
【００１９】
レンズ装置１０の撮影レンズは、放送用又は業務用のテレビカメラやシネマ用カメラ等で用いられるレンズ交換可能なカメラ本体（図示せず）にマウントによって着脱可能に装着されるようになっている。この撮影レンズにより結像された被写体像は、カメラ本体に搭載された撮像素子（ＣＣＤ等）により撮像され、カメラ本体に内蔵された信号処理回路によって所定形式の映像信号が生成されるようになっている。また、カメラ本体で生成された映像信号は、カメラ本体に内蔵又はケーブルで接続されたＶＴＲ装置５２において録画テープに記録されるようになっている。尚、映像信号を記録する記録媒体はテープ媒体に限らない。
【００２０】
撮影レンズには、鏡胴内において、同図に示すズーム（変倍）レンズ群ＺＬやフォーカスレンズ群ＦＬが光軸方向に移動可能に配置されて、又、アイリスＩが開閉動作可能に配置されている。各ズームレンズ群ＺＬ、フォーカスレンズ群ＦＬ、アイリスＩは、それぞれモータＺＭ、ＦＭ、ＩＭに連結されており、モータＺＭ、ＦＭの駆動力によってズームレンズ群ＺＬとフォーカスレンズ群ＦＬが光軸方向に前後移動し、モータＩＭの駆動力によってアイリスＩが開閉動作するようになっている。これによってズームレンズ群ＺＬの位置が変化すると、撮影レンズのズーム倍率（焦点距離）が変化し、撮影画角が変化する。フォーカスレンズ群ＦＬが移動すると、撮影レンズのピント位置が変化し、ピントが合う被写体までの距離（被写体距離）が変化する。アイリスＩの位置（開口量）が変化すると、絞り値（Ｆ値）が変化し、撮影レンズにより結像される像の明るさが変化する。
【００２１】
レンズ装置１０の制御系は、同図に示すようにＣＰＵ１６、Ａ／Ｄ変換器１８、Ｄ／Ａ変換器２０、アンプＺＡ、ＦＡ、ＩＡ、位置センサ２２、２４、２６等から構成されている。また、レンズ装置１０には、ズームデマンド１２やフォーカスデマンド１４等のコントローラがケーブルで接続されている。
【００２２】
ＣＰＵ１６からＤ／Ａ変換器２０には、ズームレンズ群ＺＬ、フォーカスレンズ群ＦＬ、アイリスＩの各々に連結されたモータＺＭ、ＦＭ、ＩＭを駆動するための制御信号が出力され、Ｄ／Ａ変換器２０によってデジタル信号からアナログ信号に変換された後、各モータＺＭ、ＦＭ、ＩＭのアンプＺＡ、ＦＡ、ＩＡに入力されるようになっている。これによって、各アンプＺＡ、ＦＡ、ＩＡに入力された制御信号の値に応じた回転速度で各モータＺＭ、ＦＭ、ＩＭが駆動される。そして、各モータＺＭ、ＦＭ、ＩＭの回転速度に応じた動作速度でズームレンズ群ＺＬ、フォーカスレンズ群ＦＬ、アイリスＩが駆動されるようになっている。従って、ズームレンズ群ＺＬ、フォーカスレンズ群ＦＬ、アイリスＩの動作速度の制御がＣＰＵ１６によって行えるようになっている。
【００２３】
また、ズームレンズ群ＺＬ、フォーカスレンズ群ＦＬ、アイリスＩの現在の設定位置（現在位置）がそれぞれ位置センサ２２、２４、２６によって検出され、Ａ／Ｄ変換器２８を介してＣＰＵ１６によって読み取れるようなっている。ＣＰＵ１６は、ズームレンズ群ＺＬ、フォーカスレンズ群ＦＬ、アイリスＩの各々の現在位置と、目標とする位置（目標位置）との差分とが小さくなるように上記制御信号を出力することによって、ズームレンズ群ＺＬ、フォーカスレンズ群ＦＬ、アイリスＩを所望の目標位置に移動させることができるようになっている。従って、ズームレンズ群ＺＬ、フォーカスレンズ群ＦＬ、アイリスＩの位置の制御がＣＰＵ１６によって行えるようになっている。
【００２４】
レンズ装置１０に接続されたズームデマンド１２からは、ズーム操作部材の操作量を示す値のズーム指令信号が出力され、そのズーム指令信号がレンズ装置１０に入力されると、Ａ／Ｄ変換器１８によってアナログ信号からデジタル信号に変換されてＣＰＵ１６に入力されるようになっている。ＣＰＵ１６は、そのズーム指令信号の値を、例えば、目標とするズーム速度を示す値として取得し、そのズーム速度となるように、Ｄ／Ａ変換器２０を介してアンプＺＡに与える制御信号の値を調整してズームレンズ群ＺＬの移動速度を制御する。
【００２５】
フォーカスデマンド１４からは、フォーカス操作部材の操作量を示すフォーカス指令信号が出力され、そのフォーカス指令信号がレンズ装置１０に入力されると、Ａ／Ｄ変換器１８によってアナログ信号からデジタル信号に変換されてＣＰＵ１６に入力されるようになっている。ＣＰＵ１６は、そのフォーカス指令信号の値を、例えば、目標とするフォーカス位置を示す値として取得し、そのフォーカス位置となるように、Ｄ／Ａ変換器２０を介してアンプＦＡに与える制御信号の値を調整してフォーカスレンズ群ＦＬの位置を制御する。
【００２６】
図示しないカメラ本体からは、アイリスＩの位置を指令するアイリス指令信号がＣＰＵ１６に与えられており、ＣＰＵ１６は、そのアイリス指令信号によって指示された位置となるように、Ｄ／Ａ変換器２０を介してアンプＩＡに与える制御信号の値を調整してアイリスＩの位置（開口量）を制御する。
【００２７】
尚、撮影レンズのズーム、フォーカス、アイリスの動作を指令するためにＣＰＵ１６に与えられるズーム指令信号、フォーカス指令信号、アイリス指令信号は、上述のようにコントローラやカメラ本体から与えられるものでなくてもよく、例えば、ＣＰＵ１６にシリアル通信により接続されるコンピュータ等の他の装置から与えられるものであってもよい。
【００２８】
また、レンズ装置１０にはシリアルインターフェース用のコネクタ３２が設けられており、そのコネクタ３２に接続された外部機器との間でＣＰＵ１６はＳＣＩ（シリアルコミュニケーションインターフェース）３０を通じて各種情報のやり取りを行う機能を備えている。同図には、コネクタ３２にメタデータ収集システム５０（例えば、パソコン）が接続されている態様が示されている。
【００２９】
メタデータ収集システム５０は、撮影時におけるカメラの設定状態を示す撮影データ（後述）をメタデータとして収集する装置である。同図では、レンズ装置１０から撮影レンズの設定状態等を示す撮影データを収集する構成のみ示されているが、カメラ本体からもカメラ本体の設定状態を示す撮影データを収集している。尚、本実施の形態ではカメラ本体から収集する撮影データについては省略する。
【００３０】
メタデータ収集システム５０により収集されたメタデータは、ＶＴＲ装置５２に出力され、カメラ本体で生成された映像信号と共に、その映像信号に付帯して録画テープに記録される。映像信号にメタデータを付帯させる方法としては、映像信号中のブランキング期間にメタデータの信号を合成してもよいし、映像信号とは別のトラックにメタデータの信号を記録してもよく、また、これら以外の方法であってもよい。
【００３１】
また、メタデータは、録画テープに記録される映像信号のうち、そのメタデータ（撮影データ）がレンズ装置１０において取得された時点で撮影された映像（コマ画像）の信号部分に対応させて記録される。これにより、映像信号の各時刻の映像を撮影したときのレンズ装置１０の設定状態を示すメタデータが映像信号に対応付けられて記録され、映像編集時等において映像信号に対応付けられたメタデータを読み取ることによってその映像を撮影したときの撮影レンズの設定状態等を参照又は利用することができるようになっている。
【００３２】
レンズ装置１０のＣＰＵ１６は、メタデータ収集システム５０からメタデータ出力の要求があった場合には、必要な撮影データを取得、生成してその撮影データをメタデータとしてメタデータ収集システム５０に出力する。
【００３３】
ここで、ＣＰＵ１６がメタデータとしてメタデータ収集システム５０に出力する撮影データには、撮影レンズの焦点距離（焦点距離データ）、被写体距離（被写体距離データ）、Ｆ値（Ｆ値データ）、撮影位置（撮影位置データ）、撮影方位（撮影方位データ）等がある。撮影位置データと撮影方位データは、本来、レンズ装置１０の設定状態を示す撮影データとは異なるが、本実施の形態では、撮影位置データと撮影方位データもレンズ装置１０の設定状態を示す撮影データと共にメタデータとしてメタデータ収集システム５０に出力されるようになっている。
【００３４】
焦点距離データは、撮影レンズの焦点距離を表すデータであり、ＣＰＵ１６は、ズームレンズ群ＺＬの現在位置を位置センサ２２から読み込み、そのズームレンズ群ＺＬの現在位置を焦点距離のデータに変換することによって焦点距離データを生成する。撮影距離データは、ピントが合う被写体までの被写体距離を表すデータであり、ＣＰＵ１６は、フォーカスレンズ群ＦＬの現在位置を位置センサ２４から読み込み、そのフォーカスレンズ群ＦＬの現在位置を被写体距離のデータに変換することによって被写体距離データを生成する。Ｆ値データは、撮影レンズの明るさを表すデータであり、ＣＰＵ１６は、絞りＩの現在位置を位置センサ２６から読み込み、その絞りＩの現在位置をＦ値のデータに変換することによってＦ値データを生成する。
【００３５】
撮影位置データは、カメラが設置されている場所の緯度と経度を表すデータである。この撮影位置データを取得するためレンズ装置１０にはＧＰＳ受信機４０が搭載されている。尚、ＧＰＳ（Global Positioning System：全地球測位システム）は、周知のようにＧＰＳ衛星からの電波を利用して、ＧＰＳ受信機４０が置かれている緯度、経度、高度などを検出できるようにしたシステムである。ＣＰＵ１６は、そのＧＰＳ受信機４０から緯度、経度、高度等のＧＰＳ情報を取得し、そのＧＰＳ情報から撮影位置データを生成する。尚、撮影位置データとして、緯度と経度のみでなく高度のデータを含めてもよいし、また、ＧＰＳ受信機４０から得られるＧＰＳ情報のうち全て、又は、一部（少なくとも撮影位置データは含む）のＧＰＳ情報を撮影位置データの代わりにメタデータとして出力するようにしてもよい。
【００３６】
撮影方位データは、カメラの向き（撮影方向）を表すデータである。この撮影方位データを取得するためレンズ装置１０には方位センサ４２が搭載されている。方位センサ４２は、例えば磁気方位センサであり、地磁気を利用して例えば北の方角を基準（０度＝３６０度）として方位センサ４２の基準の向きの方位を０〜３６０度の角度で検出する。また、水平方向を基準として上下方向の傾斜角度を検出する。ＣＰＵ１６は、方位センサ４２からその方位データを取得し、その方位データからカメラの撮影方位を示す撮影方位データを生成する。尚、方位センサ４２の基準の向きがレンズ装置１０の光軸前向きとなるように方位センサ４２をレンズ装置１０に設置すれば、方位センサ４２から取得した方位データの示す方位がそのまま撮影方位データの示す方位となる。また、カメラがパンニングやチルティング可能な雲台に搭載されている場合に、その雲台からパンニングやチルティングの角度を検出するセンサの出力を取得し、その出力と方位センサ４２の出力の両方に基づいて撮影方位データの精度を向上させるようにしてもよい。
【００３７】
ＣＰＵ１６は、このような撮影データを取得、生成してメタデータとしてメタデータ収集システム５０に出力する。メタデータ収集システム５０は、上記のようにＣＰＵ１６から出力されたメタデータを取得してそのメタデータをＶＴＲ装置５２に出力してカメラ本体で得られた映像信号と共にそのメタデータをＶＴＲ装置５２の録画テープに記録させる。
【００３８】
図２は、レンズ装置１０のＣＰＵ１６におけるメタデータ出力に関する処理手順を示したフローチャートである。ＣＰＵ１６は、まず、所要の初期設定を行い（ステップＳ１０）、メタデータ出力以外の処理を実行する（ステップＳ１２）。次にＣＰＵ１６は、コネクタ３２に接続された外部機器（図１でのメタデータ収集システム５０）からメタデータの出力が要求されたか否かを判定する（ステップＳ１４）。ＮＯと判定した場合には、ステップＳ１２に戻る。一方、ＹＥＳと判定した場合には、ズームレンズ群ＺＬの位置を位置センサ２２から読み込む（ステップＳ１６）。そして、そのズームレンズ群ＺＬの位置を焦点距離データに変換する（ステップＳ１８）。
【００３９】
次に、ＣＰＵ１６は、フォーカスレンズ群ＦＬの位置を位置センサ２４から読み込む（ステップＳ２０）。そして、そのフォーカスレンズ群ＦＬの位置を被写体距離データに変換する（ステップＳ２２）。
【００４０】
次に、ＣＰＵ１６は、アイリスＩの位置を位置センサ２６から読み込む（ステップＳ２４）。そして、そのアイリスＩの位置をＦ値データに変換する（ステップＳ２６）。
【００４１】
次に、ＣＰＵ１６は、ＧＰＳ受信機４０からＧＰＳ情報を読み込む（ステップＳ２８）。そして、そのＧＰＳ情報を撮影位置データ（緯度と経度のデータ）に変換する（ステップＳ３０）。
【００４２】
次に、ＣＰＵ１６は、方位センサ４２から方位データを読み込む（ステップＳ３２）。そして、その方位データを撮影方位データに変換する（ステップＳ３４）。
【００４３】
以上のステップＳ１８、ステップＳ２４、ステップＳ２６、ステップＳ３０、ステップＳ３２により焦点距離データ、被写体距離データ、Ｆ値データ、撮影位置データ、撮影方位データを生成すると、ＣＰＵ１６は、それらの撮影データをコネクタ３２に接続された外部機器にメタデータとして出力し（ステップＳ３６）、ステップＳ１２に戻る。
【００４４】
以上のＣＰＵ１６の処理手順により、外部機器の要求に応じて焦点距離データ、被写体距離データ、Ｆ値データ、撮影位置データ、撮影方位データが外部機器に出力される。
【００４５】
以上、上記実施の形態では、撮影位置データと撮影方位データのうち、両方のデータが外部機器に出力されるが、必ずしも両方のデータを出力する必要はなく、撮影位置データのみ外部機器に出力するようにしてもよい。
【００４６】
また、上記実施の形態では、撮影位置データと撮影方位データが、他の撮影データ（焦点距離データ等）と共に外部機器に出力されるようになっているが、撮影位置データと撮影方位データを他の撮影データとは関係なく外部機器に出力できるようにしてもよい。
【００４７】
また、メタデータを出力する外部機器として特定のコネクタに接続されたものだけでなく、レンズ装置１０に接続された任意の機器、例えば、カメラ本体等であってもメタデータの出力が要求された場合にはその機器にメタデータを出力できるようにすることも可能である。
【００４８】
また、上記実施の形態では、ＧＰＳ受信機４０や方位センサ４２がレンズ装置１０に搭載されているものとしたが、ＧＰＳ受信機４０や方位センサ４２は、レンズ装置１０以外の装置（外付けする装置等）に搭載してもよい。その場合には、ＧＰＳ受信機４０や方位センサ４２の出力端子をケーブルなどでレンズ装置１０の所定のコネクタに接続することによって、ＧＰＳ受信機４０や方位センサ４２の出力をＣＰＵ１６で取得できるようにしておく。
【００４９】
また、レンズ装置１０には方位センサ４２のみを搭載し、ＧＰＳ受信機４０は他の装置に搭載してもよい。例えば、レンズ装置１０とカメラ本体の光学ブロック（通常カメラ本体内に搭載される撮像素子や光学系（色分解プリズム等））等からなるレンズ部をカメラ本体から分離して、レンズ部をケーブルでカメラ本体に接続することによって、レンズ部のみの位置や向きを替えて撮影を行えるようにしたカメラが知られている。この場合に、レンズ部をカメラ本体から取り外して動かしても撮影位置は大きく変化しないためＧＰＳ受信機４０は必ずしもレンズ部に搭載されていなくてもよいが、撮影方位は、レンズ部の姿勢によって決まるため方位センサ４２はレンズ部に設置されていることが望ましい。そこで、このような場合に、方位センサ４２のみをレンズ装置１０に搭載し、又は、レンズ装置１０に外付け等で設置してケーブル等でレンズ装置１０の所定のコネクタに電気的に接続することによって、方位センサ４２の出力をレンズ装置１０のＣＰＵ１６で取得できるようにしておくと、少なくともレンズ部の正確な撮影方位データをその方位センサ４２の出力から求めることができるため有効である。方位センサ４２から取得した撮影方位データは、他の撮影データ（焦点距離データ等）と共に、又は、他の撮影データとは関係なく外部機器に出力できるようにしておく。外部機器としてカメラ本体などレンズ装置１０に接続された任意の機器に対して撮影方位データを出力できるようにすることが可能である。
【００５０】
また、本発明は、レンズ交換式のカメラに着脱可能の装着される撮影レンズを構成要素とするレンズシステムであれば、どのような種類のカメラに使用されるものであっても適用可能である。
【図面の簡単な説明】
【００５１】
【図１】図１は、本発明に係るレンズシステムの構成を示したブロック図である。
【図２】図２は、レンズ装置のＣＰＵにおけるメタデータ出力の処理手順を示したフローチャートである。
【符号の説明】
【００５２】
１０…レンズ装置、１２…ズームデマンド、１４…フォーカスデマンド、１６…ＣＰＵ、４０…ＧＰＳ受信機、４２…方位センサ、５０…メタデータ収集システム、５２…ＶＴＲ装置、ＺＬ…ズームレンズ、ＦＬ…フォーカスレンズ、Ｉ…アイリス、ＺＭ、ＦＭ、ＩＭ…モータ
【図１】
2007212674.tif 000003
【図２】
2007212674.tif 000004